(57)【要約】【課題】道糸が切れるのを防止することができる道糸の巻取装置を提供する。【解決手段】連結板１３に連結された第１及び第２支持アーム１５，１６のうち第１支持アーム１５に対し、一つの仕掛けに必要な長さの道糸３５ａとなる釣り糸３５を巻き取った糸巻３６を回転可能に支持する。第２支持アーム１６の中間部に回転軸４１を支持し、その先端部に挟着機構４３を装着し、この挟着機構４３により巻取具４２を挟着する。前記回転軸４１の基端部に連結された操作手段４７の操作棒５０を旋回させて前記挟着機構４３及び巻取具４２を回転し、前記糸巻３６から釣り糸３５を巻き戻しながら巻取具４２に所定回数巻き取り、所定長さの道糸３５ａとする。この巻き取られた道糸３５ａに撚りがかからないので、道糸３５ａが切れるのを防止することができる。【選択図】図１
0003124636.tif 000002
【実用新案登録請求の範囲】
【請求項１】
支持部材に支持された回転軸の一端部に対し、道糸の巻取具を取り外し可能に取り付けるための取付手段を設け、前記回転軸の他端部に該軸を回転するための操作手段を設けたことを特徴とする道糸の巻取装置。
【請求項２】
請求項１において、前記支持部材には前記回転軸の回転数を計測するためのカウンタが設けられていることを特徴とする道糸の巻取装置。
【請求項３】
請求項１又は２において、前記支持部材は、支持台座と、該支持台座に立設された一対の支持アームとにより構成され、一方の支持アームには道糸が巻回された糸巻を回転可能に装着するための糸巻支持手段が設けられ、他方の支持アームには前記回転軸、取付手段及び操作手段が装着されていることを特徴とする道糸の巻取装置。      
【請求項４】
請求項１〜３のいずれか一項において、前記取付手段は、回転軸の先端部に連結された第１挟着片と、この第１挟着片に形成された貫通孔に貫通された挟着用ボルトと、該ボルトに螺合された第２挟着片とにより構成され、前記第１及び第２挟着片の間に扁平状の巻取具の側端縁を挟着するようにしたことを特徴とする道糸の巻取装置。
【請求項５】
請求項４において、前記第１及び第２挟着片の間には、リング状の巻取具を取付けるための取付治具が取り外し可能に挟着されるようになっていることを特徴とする道糸の巻取装置。
【請求項６】
請求項２〜５のいずれか一項において、前記操作手段は、前記回転軸の他端部に偏心して嵌合固定されたカム板と、該カム板に取り付けられた操作棒とにより構成され、前記カウンタの計数駆動軸には、被動レバーが連結され、前記カム板の回転運動により往復回動される駆動レバーにより前記被動レバーが往復回動されるように構成されていることを特徴とする道糸の巻取装置。
【請求項７】
請求項１〜６のいずれか一項において、前記支持部材には前記回転軸の回転を停止するためのロック機構が設けられていることを特徴とする道糸の巻取装置。
【請求項８】
請求項７において、前記ロック機構は、前記支持アームに形成されたネジ孔に螺合され、かつ前記回転軸の外周面に押圧されるロック用ボルトであることを特徴とする道糸の巻取装置。
【請求項９】
請求項３〜８のいずれか一項において、前記両支持アームは、支持台座に折り畳み可能に連結されていることを特徴とする道糸の巻取装置。
【請求項１０】
請求項３〜９のいずれか一項において、前記両支持アームの上端部には、道糸を二箇所で挟着して緊張状態で張設するための道糸挟着具が装着されていることを特徴とする道糸の巻取装置。
【請求項１１】
請求項１０において、前記道糸挟着具は、前記支持アームに形成されたネジ孔に螺合されたボルトと、該ボルトに嵌合された複数の挟着素子と、前記ボルトに螺合され、かつ前記挟着素子を前記支持アームとの間で挟着する操作つまみとにより構成されていることを特徴とする道糸の巻取装置。
【考案の詳細な説明】
【技術分野】
【０００１】
本考案は、道糸の巻取装置に係り、詳しくは糸巻に巻き取られた釣り糸を巻取具に道糸として巻き取る際に、道糸に撚りがかかるのを防止して道糸の破断を防止することができる道糸の巻取装置に関する。
【背景技術】
【０００２】
一般に、釣りに先立って、釣竿の長さに応じて所定の長さに切断された道糸に対し、針を止着したハリスが接続された仕掛けが予め用意される。前記道糸は、例えば扁平状の巻取具やリング状の巻取具に巻き取られる。この巻き取り作業は、次のようにして行われる。即ち、前記巻取具に形成された糸係止用のスリットに対し、道糸となる釣り糸が巻回された糸巻から釣り糸を巻き戻して、この釣り糸の先端を係止する。その後、一方の手で前記巻取具を持ち、他方の手で釣り糸を巻取具の回りで旋回させて巻取具に釣り糸を巻き取る。そして、一つの仕掛けに必要な所定の長さ（例えば５ｍ〜８ｍ）に必要な所定回数（例えば３０回〜８０回）だけ釣り糸を巻き取ったらこの釣り糸を切断して得られた道糸の切断端部を巻取具の別の糸係止用のスリットに係止する。
【考案の開示】
【考案が解決しようとする課題】
【０００３】
ところが、上記従来の巻取具に対する道糸の巻き取り方法は、手作業により釣り糸を旋回させなが巻取具に巻き取って行くので、道糸に撚りがかかり易く、道糸に撚りがかかり過ぎると金属製の線径が例えば０．０１ｍｍの細い道糸の場合には、道糸が切れてしまうという問題があった。
【０００４】
又、上記従来の巻取り方法は、巻取具に対する道糸の巻取り回数を例えば３０回〜８０回として、道糸の全長が所定の長さになるようにしているが、前記巻取り回数をカウントすることが面倒であり、時に忘れてしまうこともあり、道糸の巻取り動作を迅速かつ適正に行うことができないという問題があった。
【０００５】
本考案の目的は、上記従来の技術に存する問題点を解消して、道糸が切れるのを防止することができる道糸の巻取装置を提供することにある。
本考案の別の目的は、上記の目的に加えて、道糸の巻取り動作を迅速かつ適正に行うことができる道糸の巻取装置を提供することにある。
【課題を解決するための手段】
【０００６】
上記問題点を解決するために、請求項１に記載の考案は、支持部材に支持された回転軸の一端部に対し、道糸の巻取具を取り外し可能に取り付けるための取付手段を設け、前記回転軸の他端部に該軸を回転するための操作手段を設けたことを要旨とする。
【０００７】
請求項２に記載の考案は、請求項１において、前記支持部材には前記回転軸の回転数を計測するためのカウンタが設けられていることを要旨とする。
請求項３に記載の考案は、請求項１又は２において、前記支持部材は、支持台座と、該支持台座に立設された一対の支持アームとにより構成され、一方の支持アームには道糸が巻回された糸巻を回転可能に装着するための糸巻支持手段が設けられ、他方の支持アームには前記回転軸、取付手段及び操作手段が装着されていることを要旨とする。
【０００８】
請求項４に記載の考案は、請求項１〜３のいずれか一項において、前記取付手段は、回転軸の先端部に連結された第１挟着片と、この第１挟着片に形成された貫通孔に貫通された挟着用ボルトと、該ボルトに螺合された第２挟着片とにより構成され、前記第１及び第２挟着片の間に扁平状の巻取具の側端縁を挟着するようにしたことを要旨とする。
【０００９】
請求項５に記載の考案は、請求項４において、前記第１及び第２挟着片の間には、リング状の巻取具を取付けるための取付治具が取り外し可能に挟着されるようになっていることを要旨とする。
【００１０】
請求項６に記載の考案は、請求項２〜５のいずれか一項において、前記操作手段は、前記回転軸の他端部に偏心して嵌合固定されたカム板と、該カム板に取り付けられた操作棒とにより構成され、前記カウンタの計数駆動軸には、被動レバーが連結され、前記カム板の回転運動により往復回動される駆動レバーにより前記被動レバーが往復回動されるように構成されていることを要旨とする。
【００１１】
請求項７に記載の考案は、請求項１〜６のいずれか一項において、前記支持部材には前記回転軸の回転を停止するためのロック機構が設けられていることを要旨とする。
請求項８に記載の考案は、請求項７において、前記ロック機構は、前記支持アームに形成されたネジ孔に螺合され、かつ前記回転軸の外周面に押圧されるロック用ボルトであることを要旨とする。
【００１２】
請求項９に記載の考案は、請求項３〜８のいずれか一項において、前記両支持アームは、支持台座に折り畳み可能に連結されていることを要旨とする。
請求項１０に記載の考案は、請求項３〜９のいずれか一項において、前記両支持アームの上端部には、道糸を二箇所で挟着して緊張状態で張設するための道糸挟着具が装着されていることを要旨とする。
【００１３】
請求項１１に記載の考案は、請求項１０において、前記道糸挟着具は、前記支持アームに形成されたネジ孔に螺合されたボルトと、該ボルトに嵌合された複数の挟着素子と、前記ボルトに螺合され、かつ前記挟着素子を前記支持アームとの間で挟着する操作つまみとにより構成されていることを要旨とする。
【００１４】
（作用）
請求項１に記載の考案は、道糸の巻取具を取付手段に取り付け、操作手段により回転軸及び巻取具を回転することにより、糸巻から道糸を巻き戻しながら迅速かつ適正に巻取具に巻き取ることができる。
【００１５】
請求項２に記載の考案は、前記カウンタにより回転軸と同期回転される巻取具の回転数が計測されるので、道糸の巻取り動作を迅速かつ適正に行うことができる。
請求項３に記載の考案は、一方の支持アームに装着された糸巻から道糸となる釣り糸を巻き戻しながら巻取具に巻き取られるので、道糸の巻取り動作が円滑に行われる。
【００１６】
請求項４に記載の考案は、第１挟着片と第２挟着片との間に扁平状の巻取具の側端縁を簡単に挟着することができる。
請求項５に記載の考案は、第１及び第２挟着片の間に挟着された取付治具によりリング状の巻取具を装着することができる。
【００１７】
請求項６に記載の考案は、操作棒によりカム板が回転されると、駆動レバーが往復回動され、被動レバーによりカウンタの計数駆動軸が往復回動されて回転軸と同期回転される巻取具の回転数がカウンタにより表示される。
【００１８】
請求項７に記載の考案は、ロック機構により回転軸の回転が停止されるので、巻取具を道糸の巻取り動作の初期と終期において、巻取具を所定位置に保持することができ、道糸の先端と、その切断端を巻取具の二つの糸係止用スリットに容易に係止することができる。
【００１９】
請求項８に記載の考案は、前記ロック機構がロック用ボルトにより構成されているので、ロック機構の構造を簡素化することができる。
請求項９に記載の考案は、支持台座側に支持アームを折り重ねてコンパクト化することができる。
【００２０】
請求項１０及び請求項１１に記載の考案は、道糸挟着具により道糸を二箇所で挟着して緊張状態で張設することができるので、道糸に対するハリスの接続作業を容易に行うことができる。
【考案の効果】
【００２１】
請求項１〜１１に記載の考案は、道糸が切れるのを防止することができる。
請求項２記載の考案は、一つの仕掛けに必要な長さの道糸の巻取り動作を迅速かつ適正に行うことができる。
【考案を実施するための最良の形態】
【００２２】
以下、本考案を具体化した道糸の巻取装置の一実施形態を図１〜図７にしたがって説明する。
図１に示すように支持板１１の中央部に形成した挿通孔１１ａには頭部付きボルト１２が上向きに貫通されている。支持板１１の上面中央部には連結板１３が載置され、その下端部には係合凹部１３ａが形成されている。前記連結板１３の中央部に縦方向に形成した挿通孔１３ｂには前記ボルト１２が貫通され、蝶ナット１４をボルト１２の上端部に螺合することにより支持板１１と連結板１３を連結するようにしている。前記蝶ナット１４を緩めることにより支持板１１上で連結板１３をボルト１２を中心に水平方向に回動可能にしている。
【００２３】
前記連結板１３の両端部には板材よりなる第１及び第２支持アーム１５，１６がボルト１７と蝶ナット１８によって連結されている。前記蝶ナット１８を緩めることにより両支持アーム１５，１６の上下方向への回動が可能となり、所望する取付角度に締め付け固定される。
【００２４】
図２に示すように、前記第１支持アーム１５の上端部にはネジ孔１５ａが形成され、該ネジ孔１５ａには図３に示すように支持ボルト１９が螺合され、その頭部１９ａが支持アーム１５の一側面に締め付け固定されている。前記支持ボルト１９には横円筒状のスリーブ２０が被嵌され、該スリーブ２０の外周面には道糸を挟着するためのドーナッツ状をなす合成樹脂製の複数の挟着素子２１〜２３が軸方向の往復動可能に嵌合されている。前記支持ボルト１９の先端部には操作つまみ２４が螺合され、該つまみ２４を回動することにより前記挟着素子２１〜２３を第１支持アーム１５との間で挟着可能である。
【００２５】
図３に示すように、前記挟着素子２１〜２３には挿通孔２１ａ、２２ａ、２３ａが形成され、各挿通孔２１ａ〜２３ａには回動阻止ボルト２５が貫通され、該回動阻止ボルト２５の先端部は前記第１支持アーム１５に形成したネジ孔１５ｂに螺合されている。又、前記挟着素子２２の挿通孔２２ａは他の挟着素子２１，２３の挿通孔２１ａ，２３ａよりも大径に形成され、その挿通孔２２ａにはコイルバネ２６が収容されている。前記回動阻止ボルト２５の頭部は素子２３の挿通孔２３ａの外側面側に形成した大径の凹所に緩く嵌入されている。そして、操作つまみ２４を緩めると、前記コイルバネ２６により挟着素子２１，２３が互いに離隔されて各素子２１〜２３の間に道糸の挟着間隙が形成されるようにしている。
【００２６】
図１及び図２に示すように前記第２支持アーム１６の上端部にもネジ孔１６ａ、１６ｂが形成され、前記支持ボルト１９、スリーブ２０、挟着素子２１〜２３、操作つまみ２４、回動阻止ボルト２５及びコイルバネ２６等と同様の部品が装着されている。
【００２７】
図２に示すように、前記第１支持アーム１５の中間部にはネジ孔１５ｃが形成され、このネジ孔１５ｃには支持ボルト３１が螺合され、その頭部３１ａが図４に示すように支持アーム１５の一側面に締め付け固定されている。前記支持ボルト１９にはドーナッツ状のスペーサ３２，３３が回転可能に緩く嵌装されている。前記支持ボルト３１の先端部には操作つまみ３４が螺合され、該つまみ３４を回動することにより前記スペーサ３２，３３を第１支持アーム１５との間で挟着可能である。前記第１支持アーム１５と前記スペーサ３２との間に位置するように前記支持ボルト３１上には、金属製（例えばタングステン製）の所定長さ（例えば５０ｍ）の細い（例えば線径０．０１ｍｍ）釣り糸３５が巻回された糸巻３６が回転可能に装着されるようにしている。この糸巻３６から釣り糸３５が巻き戻されて数本の道糸３５ａが後述の巻取具４２に巻き取られる。
【００２８】
図２に示すように、前記第２支持アーム１６の中間部には、軸孔１６ｃが形成され、この軸孔１６ｃには図６に示すように回転軸４１が回転可能に支持されている。この回転軸４１の一端部には、梯子状（図２参照）をなす道糸３５ａの巻取具４２を挟着するための挟着機構４３が装着されている。この挟着機構４３は、図６に示すように前記回転軸４１の先端部に一体に形成された第１挟着片４４と、この第１挟着片４４に形成された貫通孔４４ａに貫通されたボルト４５と、該ボルト４５に螺合された第２挟着片４６とにより構成されている。そして、第１挟着片４４と第２挟着片４６との間に巻取具４２の側端縁を介在した状態で、前記ボルト４５の操作部４５ａを手動により回動操作することにより巻取具４２を挟着するようにしている。前記巻取具４２は、図７に示すように道糸３５ａの先端部を係止する第１スリット４２ａと、所定長さに切断された道糸３５ａの他端部を係止する第２スリット４２ｂを備えている。
【００２９】
図６に示すように、前記回転軸４１の他端部には、該回転軸４１を手動により回転操作するための操作手段４７が装着されている。この操作手段４７は、前記回転軸４１の他端部に偏心して嵌合固定されたカム板４８と、このカム板４８を前記回転軸４１に固定するために前記カム板４８のボス部に螺合されたセットボルト４９と、前記カム板４８に取り付けられた操作棒５０とにより構成されている。そして、前記操作棒５０を回転することにより前記カム板４８、回転軸４１、挟着機構４３及び巻取具４２が手動により回転されるようにしている。
【００３０】
図７に示すように前記第２支持アーム１６には、前記軸孔１６ｃに連通するようにネジ孔１６ｄが形成され、このネジ孔１６ｄにはロック機構を構成するロック用ボルト５１が螺合されている。このロック用ボルト５１の操作部５１ａを手動により回動操作することにより該ボルト５１の先端面を前記回転軸４１の外周面に押し付けて、回転軸４１が回転しないようにしている。
【００３１】
図６に示すように、前記第２支持アーム１６の一側面には、ブラケット５２を介して機械式のカウンタ５３が装着されている。このカウンタ５３として、例えば三桁の回転計（京北計器工業株式会社製の品番ＲＳ２０４−３１）が用いられている。このカウンタ５３の上面には表示窓５４が設けられ、０〜９までの三桁の数値が表示されるようになっている。カウンタ５３から外部に突出された計数駆動軸５５の先端部に被動レバー５６が連結され、該レバー５６が４５°の範囲で一回往復回動される毎に、表示窓５４に表示された数字が一つづつ進むようになっている。
【００３２】
図１、図５及び図６に示すように、前記第２支持アーム１６にはブラケット５７及び支持軸５８を介して前記被動レバー５６を往復回動する正面Ｌ字状の駆動レバー５９が往復回動可能に装着されている。前記駆動レバー５９の下端部は前記カム板４８の外周面に接触され、駆動レバー５９の上端水平部は前記被動レバー５６の先端部上面に接触されている。そして、前記操作棒５０により前記カム板４８及び回転軸４１が回転されると、前記カム板４８により駆動レバー５９が支持軸５８を中心に往復傾動され、前記被動レバー５６が往復傾動され、回転軸４１と同期して回転される巻取具４２の回転数が計測されるようにしている。前記カウンタ５３の側面には、リセット用の操作つまみ６０が設けられ、カウントされた三桁の数字を全て零にリセットすることができるようになっている。
【００３３】
次に、前記のように構成した道糸の巻取り装置について、その動作を説明する。
図１及び図７に示すように、前記支持ボルト３１上に糸巻３６を回転可能に装着するとともに、前記挟着機構４３により前記巻取具４２を挟着し、ロック用ボルト５１により前記回転軸４１を回転不能にロックする。
【００３４】
次に、前記糸巻３６の道糸となる釣り糸３５を少し巻き戻してその先端部を前記巻取具４２の第１スリット４２ａに係止する。この状態で、前記ボルト５１を緩めて、回転軸４１のロックを解除し、操作棒５０を図７において時計（矢印）方向又は反時計回り方向に旋回させてカム板４８及び回転軸４１を回転し、巻取具４２を回転させ、その巻取具４２に釣り糸３５を巻き取る。この巻取具４２が一回転される毎に前記カム板４８を介して駆動レバー５９が一回往復回動され、カウンタ５３の表示窓５４に回転数が数値表示される。
【００３５】
そして、所定回転数（例えば５０回）だけ巻取具４２が回転され、前記巻取具４２に所定長さ（例えば７ｍ）の道糸３５ａが巻き取られたら、巻取具４２の回転を停止して、ボルト５１により回転軸４１を再度ロックし、前記糸巻３６に連なる道糸３５ａを巻取具４２の付近で鋏により切断し、その切断端部を巻取具４２の第２スリット４２ｂに係止する。
【００３６】
最後に、前記操作部４５ａを手動により回動してボルト４５を緩めて、第１挟着片４４及び第２挟着片４６による巻取具４２の挟着を解除して、巻取具４２を挟着機構４３から分離する。
【００３７】
以上の動作により巻取具４２に対し、一つの仕掛けに必要な所定長さの道糸３５ａの巻き取り動作が終了する。
前記のように構成した道糸の巻取り装置についてその効果を構成とともに列記する。
【００３８】
（１）前記実施形態では、第１支持アーム１５に道糸となる釣り糸３５を巻回した糸巻３６を装着するとともに、第２支持アーム１６に巻取具４２を回転する巻取り装置を設けたので、糸巻３６から釣り糸３５が巻き戻されながら巻取具４２に道糸として巻き取られる。この巻取り作業中に道糸３５ａに撚りがかかるのが防止され、道糸３５ａが撚りによって切れるのを防止することができる。
【００３９】
（２）前記実施形態では、前記回転軸４１に同期して回転される巻取具４２の回転数を計測するカウンタ５３を設けたので、巻取具４２に釣り糸３５を何回巻き取ったかを数値で具体的に表示することができ、従って、一つの仕掛けに必要な所定長さの道糸３５ａの巻取り動作を迅速かつ適正に行うことができる。
【００４０】
（３）前記実施形態では、ロック用ボルト５１により回転軸４１を回転不能にロックするようにしたので、巻取具４２に対する道糸３５ａの巻き始め、巻取り終了時において、巻取具４２を所定位置に保持することができ、道糸３５ａの先端と切断端の前記巻取具４２の第１及び第２スリット４２ａ，４２ｂへの係止を容易に行うことができる。又、巻取具４２が不用意に回転されて道糸３５ａに撚りがかかることもないので、道糸３５ａが切れるのを効果的に防止することもできる。
【００４１】
（４）前記実施形態では、第１支持アーム１５及び第２支持アーム１６の上端部に支持ボルト１９、スリーブ２０、挟着素子２１〜２３及び操作つまみ２４等よりなる道糸挟着具を装着したので、図１に示すように巻取具４２から巻き戻された道糸３５ａを二箇所で挟着して緊張状態で張設することができ、道糸３５ａに対するハリス（図示略）の接続作業を容易に行うことができる。
【００４２】
（５）前記実施形態では、前記蝶ナット１４及び蝶ナット１８を緩めることにより、連結板１３、支持板１１、第１支持アーム１５及び第２支持アーム１６を折り畳むことができ、装置全体をコンパクト化することができる。
【００４３】
前記実施形態は、以下のように変更して具体化できる。
・  図８に示すように、前記第２支持アーム１６の一側面に対し前記回転軸４１の回転数を測定する測定器６１を取付け、セットボルト４９の頭部の旋回運動を感知することにより回転軸４１の回転数を電気的又は磁気的に計測し、電気式の表示器６２に計測された回転軸４１の回転数をデジタル表示するようにしてもよい。
【００４４】
・  図８に示すように、前記回転軸４１の先端部の第１挟着片４４と第２挟着片４６の間にリング状の巻取具６７を取り付けるための取付治具６５を挟着するようにしてもよい。前記取付治具６５には前記第１挟着片４４及び第２挟着片４６に挟着される被挟着部６５ａが形成され、取付治具６５の前面には、前記巻取具６７を取り外し可能に粘着するための両面粘着テープ６６が粘着されている。
【００４５】
・  図示しないが、前記回転軸４１を操作手段としての電動モータにより回転するように構成してもよい。
・  図示しないが、前記糸巻３６を支持する支持ボルト３１を省略してもよい。この場合には、別途用意した糸巻ホルダーに支持された糸巻から道糸となる釣り糸を巻き戻しながら巻取具４２に所定長さの道糸を巻き取るようにする。
【００４６】
・  前記支持板１１、連結板１３及び第１及び第２支持アーム１５，１６を折り畳み不能に一体に形成してもよい。
【図面の簡単な説明】
【００４７】
【図１】この考案を具体化した道糸の巻取り装置を示す斜視図。
【図２】道糸の巻取り装置を示す分解斜視図。
【図３】道糸の挟着素子の取付部の拡大断面図。
【図４】糸巻の支持構造を示す拡大断面図。
【図５】巻取り装置の正面図。
【図６】巻取り装置の断面図。
【図７】巻取り装置の平断面図。
【図８】この考案の別の実施形態を示す巻取り装置の平断面図。
【符号の説明】
【００４８】
４５…ボルト、１５，１６…支持アーム、１５ｃ，１６ｄ…ネジ孔、２１〜２３…挟着素子、３５ａ…道糸、３６…糸巻、４１…回転軸、４２，６７…巻取具、４４…第１挟着片、４４ａ…貫通孔、４６…第２挟着片、４７…操作手段、４８…カム板、５０…操作棒、５１…ロック用ボルト、５３…カウンタ、５５…計数駆動軸、５６…被動レバー、５９…駆動レバー、６５…取付治具。
【図１】
0003124636.tif 000003
【図２】
0003124636.tif 000004
【図３】
0003124636.tif 000005
【図４】
0003124636.tif 000006
【図５】
0003124636.tif 000007
【図６】
0003124636.tif 000008
【図７】
0003124636.tif 000009
【図８】
0003124636.tif 000010